(57)【要約】【課題】インクが外部に漏れにくい液体容器を実現すること。【解決手段】インク１７を収容可能な液体容器１０であって、液体収容室２９と、液体収容室２９にインク１７を注入可能な液体注入部３５と、を備え、液体注入部３５は、液体収容室２９を画定する第１の壁６１に形成され、且つ、外部に開放された外端３６と、液体収容室２９内に開放された内端３８とを有し、使用姿勢で第１の壁６１を水平面に投影したとき、第１の壁６１は第１辺１０１と第１辺１０１と交差する第２辺１０２とを有する四辺形６１Ｃをなし、四辺形６１Ｃは第１辺１０１の中心を通る第１の中心線１０１Ａと第２辺１０２の中心を通る第２の中心線１０２Ａによって４つの領域１１１，１１２，１１３，１１４に区画され、液体注入部３５は、内端３８が、４つの領域１１１，１１２，１１３，１１４のいずれかに配置されるように設けられていることを特徴とする。【選択図】図９
2018001525.tif 000002
【特許請求の範囲】
【請求項１】
液体噴射ヘッドに供給する液体を収容可能な液体容器であって、
前記液体を収容可能な１つの液体収容室と、
前記液体収容室に前記液体を注入可能な１つの液体注入部と、
を備え、
前記液体注入部は、前記液体収容室を画定する第１の壁に形成され、且つ、外部に開放された外端と、前記液体収容室内に開放された内端とを有し、
使用姿勢で前記第１の壁を水平面に投影したとき、
前記第１の壁は第１辺と該第１辺と交差する第２辺とを有する四辺形をなし、
前記四辺形は前記第１辺の中心を通る第１の中心線と前記第２辺の中心を通る第２の中心線とによって４つの領域に区画され、
前記液体注入部は、前記内端が、前記４つの領域のいずれかに配置されるように設けられていることを特徴とする液体容器。
【請求項２】
請求項１に記載の液体容器であって、
前記液体収容室は前記第１の壁と交差する方向に延びる第２の壁を有し、前記第１の壁は前記第２の壁側が低くなるように傾斜する傾斜部を有し、前記液体注入部は前記第１の壁の前記第２の壁側に設けられていることを特徴とする液体容器。
【請求項３】
請求項１または２に記載の液体容器であって、
前記液体収容室は、前記第１の壁と交差する方向に延びる第２の壁と、前記第２の壁と交差する方向に延び、且つ、前記第１の壁と対向する底壁とを有し、前記底壁は前記第２の壁側が高くなるように傾斜する傾斜部を有することを特徴とする液体容器。
【請求項４】
請求項３に記載の液体容器であって、
前記液体収容室は、更に、前記第１の壁と前記第２の壁と前記底壁とに交差する方向に延びる第３の壁と、前記第３の壁と対向する第４の壁と、を有し、
前記液体注入部は前記第１の壁において前記第４の壁より前記第３の壁に近い側に設けられ、
前記底壁は、前記第４の壁側が低くなるように前記第３の壁から前記第４の壁の方向に傾斜する傾斜部を有することを特徴とする液体容器。
【請求項５】
請求項２〜４のいずれか１項に記載の液体容器であって、
前記第２の壁は前記液体収容室に注入可能な前記液体の量の上限の目安を示す上限線が設けられ、外部から前記液体収容室内の液面が視認可能な視認壁を構成し、
使用姿勢において前記視認壁を前記視認壁に直交する方向から見たとき、
前記液体注入部の中心を通る中心線は、前記上限線の中心を通る中心線と異なる位置に配置されることを特徴とする液体容器。
【請求項６】
請求項１〜５のいずれか１項に記載の液体容器であって、
前記第１の壁において、前記液体注入部から離間した位置に突出し、前記液体注入部を囲む液漏れ防止壁を備えていることを特徴とする液体容器。
【請求項７】
請求項１〜６のいずれか１項に記載の液体容器であって、
前記液体注入部は、前記外端の開口と前記内端の開口とに連通する貫通孔を有する筒部を含むことを特徴とする液体容器。
【請求項８】
請求項１〜７のいずれか１項に記載の液体容器であって、
前記液体収容室の上方に大気室を更に備え、
前記大気室は、前記液体注入部の上方に位置する壁を有し、
前記壁は、
前記液体収容室に前記液体を注入するための液体注入用容器から前記液体が前記液体注入部に注入されるとき、
前記液体注入用容器の側壁と離間するような凹部を有していることを特徴とする液体容器。
【請求項９】
請求項４に記載の液体容器であって、
前記液体収容室は、
前記第２の壁と対向する第５の壁と、
前記第１の壁と前記底壁との間の位置で前記第２の壁と前記第５の壁とを接続する第６の壁と、
前記第６の壁に設けられ、前記液体収容室の前記第６の壁より前記第１の壁側の内部空間と、前記第６の壁より前記底壁側の内部空間とを連通させる開口と、
を更に有し、
前記開口は、使用姿勢において前記第６の壁を水平面に投影したとき、前記液体注入部の前記内端が形成されている第１の領域と対角をなす第２の領域に設けられていることを特徴とする液体容器。
【請求項１０】
液体噴射ヘッドと、前記液体噴射ヘッドに供給する液体を収容可能な液体容器とを有する液体噴射装置であって、
前記液体容器は、
前記液体を収容可能な液体収容室と、
前記液体収容室に前記液体を注入可能な液体注入部と、
を備え、
前記液体注入部は、前記液体収容室を画定する第１の壁に形成され、且つ、外部に開放された外端と、前記液体収容室内に開放された内端とを有し、
使用姿勢において前記第１の壁を水平面に投影したとき、
前記第１の壁は第１辺と該第１辺と交差する第２辺とを有する四辺形をなし、
前記四辺形は前記第１辺の中心を通る第１の中心線と前記第２辺の中心を通る第２の中心線とによって４つの領域に区画され、
前記液体注入部は、前記内端が、前記４つの領域のいずれかに配置されるように設けられており、
前記第１の壁において、前記液体注入部から離間した位置に突出し、前記液体注入部を囲む液漏れ防止壁を備えていることを特徴とする液体噴射装置。
【発明の詳細な説明】
【技術分野】
【０００１】
本発明は、液体を収容する液体容器、及び当該液体容器が搭載された液体噴射装置に関する。
【背景技術】
【０００２】
従来、液体噴射装置の一例として、インクジェットプリンターが知られている。当該インクジェットプリンターでは、液体収容容器（液体容器）の一例であるタンクに収容された液体（インク）が、液体噴射ヘッドに供給され、液体噴射ヘッドから印刷媒体に吐出されることによって、印刷媒体への印刷がなされる（例えば、特許文献１）。
特許文献１に記載の液体噴射装置では、インクを収容するタンクは、インクが収容される収容部、収容部にインクを注入するインク注入部、収容部に大気を導入する導入部、及び導入部の中に設けられた大気導入弁などを有している。作業者は、インク注入部から新たなインクを収容部内に補充することができる。大気導入弁は、収容部の内部から収容部の外部への大気の移動を妨げることができ、収容部に収容された液体も大気導入弁によって収容部の内部から収容部の外部への移動が妨げられる。
かかる構成によって、収容部内のインクが導入部から外部に漏れ出ることが防止されている。
【先行技術文献】
【特許文献】
【０００３】
【特許文献１】特開２０１５−１３１４３３号公報
【発明の概要】
【発明が解決しようとする課題】
【０００４】
しかしながら、特許文献１に記載の液体噴射装置では、例えば新たなインクを補充する際に作業者が誤ってタンクを転倒させた場合や、液体噴射装置を移動する場合等において、収容部内のインクがインク注入部から収容部の外部に漏れるおそれをより低減させることが望まれていた。
【課題を解決するための手段】
【０００５】
本発明は、上述の課題の少なくとも一部を解決するためになされたものであり、以下の形態または適用例として実現することが可能である。
【０００６】
［適用例１］本適用例に係る液体容器は、液体噴射ヘッドに供給する液体を収容可能な液体容器であって、前記液体を収容可能な１つの液体収容室と、前記液体収容室に前記液体を注入可能な１つの液体注入部と、を備え、前記液体注入部は、前記液体収容室を画定する第１の壁に形成され、且つ、外部に開放された外端と、前記液体収容室内に開放された内端とを有し、使用姿勢で前記第１の壁を水平面に投影したとき、前記第１の壁は第１辺と該第１辺と交差する第２辺とを有する四辺形をなし、前記四辺形は前記第１辺の中心を通る第１の中心線と前記第２辺の中心を通る第２の中心線とによって４つの領域に区画され、前記液体注入部は、前記内端が、前記４つの領域のいずれかに配置されるように設けられていることを特徴とする。
【０００７】
液体注入部を第１辺の中心を通る第１の中心線と第２辺の中心を通る第２の中心線によって区画された４つの領域のいずれかに配置することにより、液体注入部は、第１辺及び第２辺のいずれか一方に近い位置に形成されると共に、他方の辺から遠い位置に形成されることになる。
これにより、例えば、液体容器が転倒し、液体注入部が形成された領域から遠い側の辺を含む面が底面となるように液体収容室の姿勢に変化した場合、液体注入部と底面との間の距離が遠くなるので、液体は液体注入部から外側に漏れにくくなる（以降、液体収容室の最も低い面を底面と称す）。すなわち、液体容器が転倒すると、液体注入部が底面に対して高い位置に配置されるので、液体収容室に収容された液体は、液体収容室の外側に漏れにくくなる。
さらに、液体注入部及び液体収容室はそれぞれ１つなので、液体容器内に含まれる液体も１つの種類であり、他の種類の色と混在することがない。
【０００８】
［適用例２］上記適用例に係る液体容器は、前記液体収容室は前記第１の壁と交差する方向に延びる第２の壁を有し、前記第１の壁は前記第２の壁側が低くなるように傾斜する傾斜部を有し、前記液体注入部は前記第１の壁の前記第２の壁側に設けられていることが好ましい。
【０００９】
第１の壁は、液体収容室を画定し、使用姿勢において液体収容室の上面となる。第１の壁と交差する第２の壁は、使用姿勢において液体収容室の側面となる。
液体容器が転倒し、第２の壁が液体収容室の上面となり、第１の壁が液体収容室の側面となるように液体収容室の姿勢が変化した場合、液体注入部は上面（第２の壁）側に配置され、液体注入部と底面との間の距離が遠くなるので、液体は液体注入部から外側に漏れにくくなる。
【００１０】
さらに、第２の壁が上面となり、第１の壁が液体収容室の側面となるように液体収容室の姿勢が変化した場合、側面をなす第１の壁は、上面（第２の壁）から底面に向かう方向に、液体収容室が広くなるように傾斜するので、側面をなす第１の壁が傾斜していない場合と比べて、底面からの液面の位置を低く抑えることができ、液体は液体注入部から外側にさらに漏れにくくすることができる。
【００１１】
［適用例３］上記適用例に係る液体容器は、前記液体収容室は、前記第１の壁と交差する方向に延びる第２の壁と、前記第２の壁と交差する方向に延び、且つ、前記第１の壁と対向する底壁とを有し、前記底壁は前記第２の壁側が高くなるように傾斜する傾斜部を有することが好ましい。
【００１２】
液体容器が転倒し、第２の壁が液体収容室の上面となり、第１の壁が液体収容室の一方の側面となり、底壁が対向する他方の側面となるように液体収容室の姿勢が変化した場合、他方の側面をなす底壁は、一方の側面をなす第１の壁と同様に、上面（第２の壁）から底面に向かう方向に、液体収容室が広くなるように傾斜する。従って、他方の側面をなす底壁が傾斜していない場合と比べて、底面からの液面の位置を低く抑えることができ、液体注入部から外側に液体を漏れにくくなる。
【００１３】
［適用例４］上記適用例に係る液体容器は、前記液体収容室は、更に、前記第１の壁と前記第２の壁と前記底壁とに交差する方向に延びる第３の壁と、前記第３の壁と対向する第４の壁と、を有し、前記液体注入部は前記第１の壁において前記第４の壁より前記第３の壁に近い側に設けられ、前記底壁は、前記第４の壁側が低くなるように前記第３の壁から前記第４の壁の方向に傾斜する傾斜部を有することが好ましい。
【００１４】
液体容器が転倒し、第３の壁が液体収容室の上面となり、第１の壁が液体収容室の一方の側面となり、第２の壁及び底壁が対向する他方の側面となり、第４の壁が底面となるように液体収容室の姿勢が変化した場合、他方の側面をなす底壁は、上面（第３の壁）から底面（第４の壁）に向かう方向に、液体収容室が広くなるように傾斜する。従って、他方の側面をなす底壁が傾斜していない場合と比べて、底面からの液面の位置を低く抑えることができ、液体は液体注入部から外側に漏れにくくなる。
【００１５】
［適用例５］上記適用例に係る液体容器は、前記第２の壁は前記液体収容室に注入可能な前記液体の量の上限の目安を示す上限線が設けられ、外部から前記液体収容室内の液面が視認可能な視認壁を構成し、使用姿勢において前記視認壁を前記視認壁に直交する方向から見たとき、前記液体注入部の中心を通る中心線は、前記上限線の中心を通る中心線と異なる位置に配置されることが好ましい。
【００１６】
上限線の中心線を液体注入部の中心線と異なる位置に配置すると、上限線は液体注入部から離れた位置に配置され、液体注入部から液体を注入する際に上限線を視認しやすくなるので、上限線を越えて液体を注入することがなくなり、液体が液体注入部から溢れ、外部に漏れだすことを防止することができる。
【００１７】
［適用例６］上記適用例に係る液体容器は、前記第１の壁において、前記液体注入部から離間した位置に突出し、前記液体注入部を囲む液漏れ防止壁を備えていることが好ましい。
【００１８】
液体容器の使用姿勢において液体収容室に液体を注入する場合に、液体が液体注入部から漏れると、当該漏れた液体は液漏れ防止壁によってせき止められるので、液体が液漏れ防止壁の外側に流出することを防止することができる。
【００１９】
［適用例７］上記適用例に係る液体容器は、前記液体注入部は、前記外端の開口と前記内端の開口とに連通する貫通孔を有する筒部を含むことが好ましい。
【００２０】
液体注入部の外端の開口は、筒部によって第１の壁から離間（突出）し、第１の壁よりも高く配置されるので、例えば液体注入部の外端の開口が第１の壁よりも低く設けられる場合と比べて、液体が液体注入部の外端の開口から漏れにくくなる。
【００２１】
［適用例８］上記適用例に係る液体容器は、前記液体収容室の上方に大気室を更に備え、前記大気室は、前記液体注入部の上方に位置する壁を有し、前記壁は、前記液体収容室に前記液体を注入するための液体注入用容器から前記液体が前記液体注入部に注入されるとき、前記液体注入用容器の側壁と離間するような凹部を有していることが好ましい。
【００２２】
液体を液体注入用容器から液体注入部に注入する際、液体注入用容器は大気室の壁に接触しないので、液体注入用容器の姿勢が安定し、液体を安定して液体収容室に注入することができる。例えば、液体を液体収容室に安定して注入することが難しくなり、液体注入部から液体が漏れるという不具合を防止することができる。
【００２３】
［適用例９］上記適用例に係る液体容器は、前記液体収容室は、前記第２の壁と対向する第５の壁と、前記第１の壁と前記底壁との間の位置で前記第２の壁と前記第５の壁とを接続する第６の壁と、前記第６の壁に設けられ、前記液体収容室の前記第６の壁より前記第１の壁側の内部空間と、前記第６の壁より前記底壁側の内部空間とを連通させる開口と、を更に有し、前記開口は、使用姿勢において前記第６の壁を水平面に投影したとき、前記液体注入部の前記内端が形成されている第１の領域と対角をなす第２の領域に設けられていることが好ましい。
【００２４】
第６の壁によって、第１の壁側の内部空間と、第１の壁と反対側の内部空間とが形成される。液体注入部から注入された液体を、第１の壁と反対側の内部空間に収容するようにすると、液体容器が転倒し、液体注入部が低い位置（底面に近い位置）に配置された場合、液体注入部の対角に配置される開口は高い位置（底面から離れた位置）に配置されるので、第１の壁と反対側の内部空間に収容された液体は、開口を経由して第１の壁側の内部空間に移動しにくくなる。従って、液体が、第１の壁側の内部空間に移動し、液体注入部から外側に漏れだすことを防止することができる。すなわち、液体容器が転倒し、液体注入部が低い位置に配置された場合であっても、液体は液体注入部から外側に漏れにくくなる。
【００２５】
［適用例１０］本適用例に係る液体噴射装置は、液体噴射ヘッドと、前記液体噴射ヘッドに供給する液体を収容可能な液体容器とを有する液体噴射装置であって、前記液体容器は、前記液体を収容可能な液体収容室と、前記液体収容室に前記液体を注入可能な液体注入部と、を備え、前記液体注入部は、前記液体収容室を画定する第１の壁に形成され、且つ、外部に開放された外端と、前記液体収容室内に開放された内端とを有し、使用姿勢において前記第１の壁を水平面に投影したとき、前記第１の壁は第１辺と該第１辺と交差する第２辺とを有する四辺形をなし、前記四辺形は前記第１辺の中心を通る第１の中心線と前記第２辺の中心を通る第２の中心線とによって４つの領域に区画され、前記液体注入部は、前記内端が、前記４つの領域のいずれかに配置されるように設けられており、前記第１の壁において、前記液体注入部から離間した位置に突出し、前記液体注入部を囲む液漏れ防止壁を備えていることを特徴とする。
【００２６】
液体容器に液体を注入する作業の不具合や、液体噴射装置を移動する場合の不具合などによって、液体容器が転倒した場合に、液体注入部は底面に対して高い位置に配置されるので、液体は液体注入部から外側に漏れにくくなる。仮に、液体容器の外側に液体が漏れた場合であっても、当該漏れた液体は、液漏れ防止壁によってせき止められるので、液漏れ防止壁の外側に流出しにくくなる。
従って、液体が液体注入部から外側に漏れ、液体が無駄になるというロスや、液体注入部から外側に漏れた液体の悪影響（例えば、汚れに起因する故障）などを抑制し、液体の無駄を抑制しつつ、安定して稼働する液体噴射装置を実現することができる。
【図面の簡単な説明】
【００２７】
【図１】実施形態１に係るプリンターの概要を示す概略図。
【図２】実施形態１に係るプリンターの概要を示す概略図。
【図３】実施形態１に係るプリンターの概要を示す概略図。
【図４】タンクユニットの状態を示す概略図。
【図５】タンクユニットにインクを注入する状態を示す概略図。
【図６】視認壁を高い側から見た場合の液体容器の分解斜視図。
【図７】視認壁に対向する壁を低い側から見た場合の液体容器の分解斜視図。
【図８】液体注入用容器から液体収容室にインクを注入する状態を示す模式図。
【図９】使用姿勢で第１の壁を水平面に投影したときの、第１の壁の概略平面図。
【図１０】使用姿勢で、第４の壁から第３の壁に向かう方向に見た場合の液体容器の概略図。
【図１１】使用姿勢で、第７の壁から第２の壁に向かう方向に見た場合の液体容器の概略図。
【図１２】図１０に示す状態から時計回りの方向に転倒した場合の液体容器の概略図。
【図１３】図１１に示す状態から反時計回りの方向に転倒した場合の液体容器の概略図。
【図１４】液体注入部の好ましい配置位置を示す概略図。
【図１５】実施形態２に係るプリンターの液体容器の分解斜視図。
【図１６】使用姿勢で第１の壁及び第６の壁を水平面に投影したときの、第１の壁及び第６の壁の状態を示す概略図。
【図１７】使用姿勢で、第４の壁から第３の壁に向かう方向に見た場合の液体容器の概略図。
【図１８】使用姿勢で、第７の壁から第２の壁に向かう方向に見た場合の液体容器の概略図。
【図１９】図１７に示す状態から反時計回りの方向に転倒した場合の液体容器の概略図。
【図２０】図１８に示す状態から時計回りの方向に転倒した場合の液体容器の概略図。
【図２１】視認壁を高い側から見た場合の変形例１に係る液体容器の分解斜視図。
【図２２】視認壁に対向する壁を低い側から見た場合の変形例１に係る液体容器の分解斜視図。
【図２３】視認壁を高い側から見た場合の変形例２に係る液体容器の分解斜視図。
【発明を実施するための形態】
【００２８】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００２９】
（実施形態１）
「プリンターの概要」
図１乃至図３は、実施形態１に係るプリンターの概要を示す概略図である。なお、図１は原稿カバー３１が閉じられた状態が図示され、図２は原稿カバー３１が開かれた状態が図示されている。図３は、スキャナーユニット５が開かれ、印刷ユニット３の状態が分かるように図示されている。
図４は、タンクユニットの状態を示す概略図である、図５は、タンクユニットにインクを注入する状態を示す概略図である。図４及び図５では、内部の状態を分かりやすくするために、カバー４７が取り外された状態でタンクユニット４が図示されている。
【００３０】
図１に示すように、本実施形態におけるプリンター１は、液体噴射装置の一例である印刷ユニット３と、印刷ユニット３の側部に併設されたタンクユニット４と、スキャナーユニット５とを有している。印刷ユニット３は筐体６を有し、筐体６の内部には印刷ユニット３の機構ユニット４１（図３参照）が収容されている。タンクユニット４は、筐体７と、複数の液体容器１０（本実施形態では４つ）とを有している。液体容器１０は、筐体７に収容されている。
プリンター１は、「液体」の一例であるインク１７（図１０参照）によって、印刷用紙などの印刷媒体Ｐに印刷を行うことができる。なお、プリンター１としては、スキャナーユニット５を省略した構成も採用され得る。
【００３１】
プリンター１は、略直方体の形状を有している。以降、プリンター１の長手方向をＸ方向とし、プリンター１の短手方向をＹ方向とする。Ｘ方向及びＹ方向に直交し、プリンター１の厚さ方向をＺ方向とする。また、図中で方向を示す矢印の先端側を（＋）方向とし、方向を示す矢印の基端側を（−）方向とする。
なお、本願における「高い」とはＺ（＋）方向側に位置することである。本願における「低い」とはＺ（−）方向側に位置することである。以降、Ｚ（＋）方向側に位置することを高いと称し、Ｚ（−）方向側に位置することを低いと称す。
【００３２】
プリンター１は、ＸＹ平面を水平面に一致させ、印刷ユニット３及びスキャナーユニット５がＺ（＋）方向に順に配置された状態で使用され、この状態（図１に示す状態）がプリンター１の使用姿勢である。すなわち、ＸＹ平面を水平面に一致させた場合のプリンター１の姿勢が、プリンター１の使用姿勢であり、厚さ方向（Ｚ方向）が重量方向となる。また、プリンター１の使用姿勢における各構成部品やユニットの姿勢は、各構成部品やユニットの使用姿勢である。
【００３３】
なお、本願における「使用姿勢」は、プリンター１の使用姿勢における液体容器１０の姿勢（液体容器１０の使用姿勢）である。さらに、ＸＹ平面は「水平面」の一例であり、Ｘ方向は「使用姿勢における視認壁に直交する方向」の一例である。
また、以降、液体容器１０の使用姿勢を、単に使用姿勢と称す。さらに、プリンター１の説明や、プリンター１を構成する構成部品及びユニットの説明は、それぞれの使用姿勢での説明とする。
【００３４】
印刷ユニット３には、排紙部２１が設けられ、排紙部２１から印刷媒体Ｐが排出される。印刷ユニット３において、排紙部２１が設けられている面が正面２２である。印刷ユニット３の正面２２と、スキャナーユニット５の正面２２とは、互いに同一の平面内に位置している。すなわち、プリンター１の正面２２は、印刷ユニット３の正面２２と、スキャナーユニット５の正面２２とを包含している。
【００３５】
プリンター１において、スキャナーユニット５のＺ（＋）方向側の面が上面２３である。タンクユニット４は、正面２２及び上面２３に交差する側部のうちＸ（＋）方向側に位置する側部に設けられている。タンクユニット４のＸ（＋）方向側の側部には、開閉可能なカバー４７が取り付けられている。タンクユニット４の筐体７には、窓部２５が設けられている。窓部２５は、筐体７における正面２６と上面２７とに交差する側面２８に設けられている。
【００３６】
タンクユニット４の正面２６は、プリンター１の正面２２と同じ方向に向いており、プリンター１の正面２２と同一の平面内に位置している。これにより、プリンター１の外観において、印刷ユニット３とタンクユニット４との間の凹凸を軽減することができるので、プリンター１を移送するときなどに周囲の環境にぶつかりにくくすることができる。
【００３７】
タンクユニット４において、窓部２５は、光透過性を有している。上述した４つの液体容器１０は、それぞれ窓部２５に重なるように設けられている。液体容器１０には、インク１７を収容する液体収容室２９が設けられている。窓部２５は、液体容器１０のうち液体収容室２９に重なる位置に設けられている。このため、プリンター１を使用する作業者は、窓部２５を介して液体容器１０の液体収容室２９の状態を視認することができる。
本実施形態では、窓部２５は、筐体７に形成された開口として設けられている。作業者は、開口である窓部２５を介して液体容器１０の状態を視認することができる。なお、窓部２５は、開口に限定されず、例えば光透過性を有する部材で構成されていてもよい。
【００３８】
窓部２５に対面する液体収容室２９の壁の少なくとも一部は、光透過性を有している。作業者は、窓部２５を介して、液体収容室２９の光透過性を有する部位（視認壁４６（図４参照））から、液体収容室２９内のインク１７の状態（インク１７の量）を視認することができる。
【００３９】
図２に示すように、スキャナーユニット５は、フラットベッドタイプであり、開閉可能に回動する原稿カバー３１と、原稿カバー３１を開いた状態で露出する原稿載置面３２と、を有している。スキャナーユニット５は、イメージセンサーなどの撮像素子（図示省略）を有している。スキャナーユニット５は、原稿載置面３２に載置された用紙などの原稿に描出された画像を、撮像素子を介して画像データとして読み取ることができる。このため、スキャナーユニット５は、画像などの読み取り装置として機能する。
【００４０】
図３に示すように、スキャナーユニット５は、印刷ユニット３に対して回動可能に構成されている。スキャナーユニット５は、印刷ユニット３の蓋としての機能も有している。作業者は、スキャナーユニット５をＺ（＋）方向に持ち上げることによって、スキャナーユニット５を印刷ユニット３に対して回動させることができる。これにより、印刷ユニット３の蓋として機能するスキャナーユニット５を、印刷ユニット３に対して開くことができる。
【００４１】
印刷ユニット３は、機構ユニット４１を有している。機構ユニット４１には、印刷部４２が設けられている。機構ユニット４１は筐体６に収容され、筐体６によって保護されている。印刷部４２は、搬送装置（図示省略）でＹ（＋）方向に搬送される印刷媒体Ｐに対してインク１７を噴射することで、画像や文字などを印刷媒体Ｐに印刷する。なお、搬送装置は、印刷媒体Ｐを、Ｙ（＋）方向に間欠的に搬送する。印刷部４２は、移動装置（図示省略）によって、Ｘ方向に沿って往復移動可能に構成されている。タンクユニット４は、印刷部４２にインク１７を供給する。
【００４２】
上述したように、タンクユニット４は、複数の液体容器１０（本実施形態では４つ）を有している。液体容器１０は、印刷ユニット３の筐体６の外側に位置し、タンクユニット４の筐体７の内部に収容され、筐体７によって保護されている。筐体７は、筐体６に対してねじで固定されている。すなわち、タンクユニット４は、印刷ユニット３に対してねじで固定されている。
なお、液体容器１０の数は、４つに限定されず、例えば４つよりも少なくてもよく、４つより多くてもよい。
【００４３】
複数の液体容器１０のそれぞれには、インク供給チューブ４３が接続されている。液体容器１０内のインク１７は、タンクユニット４からインク供給チューブ４３を介して印刷部４２に供給される。印刷部４２には、液体噴射ヘッド４０が設けられている。液体噴射ヘッド４０には、印刷媒体Ｐ側に向けられたノズル開口（図示省略）が形成されている。液体噴射ヘッド４０は、いわゆるインクジェット式の印刷ヘッドである。タンクユニット４からインク供給チューブ４３を介して印刷部４２に供給されたインク１７は、液体噴射ヘッド４０に供給される。そして、印刷部４２に供給されたインク１７が、液体噴射ヘッド４０のノズル開口から印刷媒体Ｐに噴射され、印刷媒体Ｐに画像や文字を印刷する。
【００４４】
本実施形態では、印刷ユニット３とタンクユニット４とが互いに個別の構成として例示され、筐体７と筐体６とは互いに別体である。なお、筐体７と筐体６とが一体である構成も採用され得る。すなわち、タンクユニット４を印刷ユニット３の構成に含めることもできる。この場合、複数の液体容器１０は、印刷部４２やインク供給チューブ４３と共に同じ筐体の内部に収容される。
また、液体容器１０の配置箇所は、筐体６のＸ（＋）方向の側部側に限定されず、例えば筐体６のＹ（＋）方向の前面側であってもよい。
【００４５】
インク１７は、水性インクや油性インクなどを使用することができる。水性インクとしては、水性溶媒に染料などの溶質が溶解した構成を有するもの、水性分散媒に顔料などの分散質が分散した構成を有するもののいずれでもよい。油性インクとしては、油性溶媒に染料などの溶質が溶解した構成を有するもの、油性分散媒に顔料などの分散質が分散した構成を有するもののいずれでもよい。
【００４６】
図４に示すように、液体容器１０は、液体噴射ヘッド４０に供給するインク１７を収容可能であり、インク１７を収容可能な一つの液体収容室２９と、液体収容室２９にインク１７を注入可能な１つの液体注入部３５と、窓部２５に対面しＸ（＋）方向側に配置される視認壁４６と、を有している。
液体容器１０では、液体注入部３５及び液体収容室２９はそれぞれ１つなので、液体容器１０内に含まれるインク１７も１つの種類であり、他の種類の色のインク１７と混在することがない。
【００４７】
液体注入部３５は、第１の壁６１（図６参照）に設けられ、筒部３７と、外部に開放された外端３６（筒部３７の一方の端）と、液体収容室２９内に開放された内端３８（筒部３７の他方の端）とを有している。本実施形態において、内端３８とは、液体注入部３５において、第１の壁６１の第１の傾斜部６１Ａに接する部分であり、より具体的には、液体収容室２９に面する第１の壁６１（第１の傾斜部６１Ａ）の内側の端部である。
外端３６は開口３６Ａを有し、内端３８は開口３８Ａを有し、筒部３７は開口３６Ａと開口３８Ａとに連通される貫通孔３７Ａを有している。換言すれば、液体注入部３５は、外端３６の開口３６Ａと内端３８の開口３８Ａとに連通する貫通孔３７Ａを有する筒部３７を備えている。作業者は、液体注入部３５から液体収容室２９の中にインク１７を注入することができる。
また、液体注入部３５の外端３６の開口３６Ａは、筒部３７によって第１の壁６１からＺ（＋）方向に突出し、第１の壁６１と比較して高く配置されるので、液体注入部３５の外端３６の開口３６Ａが第１の壁６１と比較して低く配置される場合と比べて、インク１７が液体注入部３５の外端３６の開口３６Ａから、液体注入部３５の外側に漏れにくくなる。
【００４８】
視認壁４６は、光透過性を有する部材で構成されている。視認壁４６には、上限マーク４８及び下限マーク４９が設けられている。上限マーク４８は、「上限線」の一例であり、液体収容室２９に注入可能なインク１７の量の上限の目安を示す標識である。下限マーク４９は、液体収容室２９にインク１７の注入を促すための標識である。
作業者は、上限マーク４８及び下限マーク４９によって、液体収容室２９内のインク１７の状態を正しく把握し、液体収容室２９にインク１７を適正に補充することができる。詳しくは、作業者は、インク１７の液面１７Ａ（図１０参照）が下限マーク４９に近付くと、インク１７の量の上限の目安である上限マーク４８を超えないように、新たなインク１７を液体収容室２９に補充する。
【００４９】
なお、視認壁４６には、上限マーク４８及び下限マーク４９以外に、インク１７に関する情報を示す他の標識を設けてもよい。例えば、インク１７の量を示す目盛や、インク１７の色を示す記号などの標識を、視認壁４６に設けてもよい。
【００５０】
また、使用姿勢において、視認壁４６に直交する方向（Ｘ方向）から視認壁４６を見たとき、液体注入部３５の中心を通る中心線Ｖ１は、上限マーク４８及び下限マーク４９の中心を通る中心線Ｖ２と異なる位置に配置されている。
上限マーク４８の中心線Ｖ２を液体注入部３５の中心線Ｖ１と異なる位置に配置すると、上限マーク４８は液体注入部３５から離れた位置に配置され、液体注入部３５からインク１７を注入する際に上限マーク４８を視認しやすくなるので、上限マーク４８を越えてインク１７を注入することがなくなり、例えば、インク１７が液体注入部３５から溢れ、外部に漏れだすという不具合を防止することができる。
さらに、インク１７の補充作業でインク１７が液体注入部３５から溢れた場合、当該溢れたインク１７はＺ（−）方向に垂れるので、上限マーク４８の中心線Ｖ２を液体注入部３５の中心線Ｖ１とＹ方向において、異なる位置に配置すると、上限マーク４８や下限マーク４９は漏れたインク１７によって汚されにくくなる。
【００５１】
筐体７の側壁部７Ａには接続部５６が設けられ、当該接続部５６にキャップ５３が取り付けられている。キャップ５３は接続部５６を支点として、回動可能である。さらに、側壁部７Ａには受け皿５４が取り付けられている。
液体容器１０の液体収容室２９の中に所定のインク１７が収容されている場合、図中の二点鎖線で示すように、キャップ５３は、液体注入部３５の外端３６の開口３６Ａを密閉し、液体収容室２９に収容されたインク１７の蒸発を抑制する。液体注入部３５からインク１７を注入する場合、図中の実線で示すように、キャップ５３を移動し、受け皿５４に載置する。
【００５２】
なお、図４では、一つのキャップ５３が図示されているが、４つの液体容器１０のそれぞれに対応するように、キャップ５３が取り付けられている。すなわち、本実施形態では、キャップ５３の数は４つであり、キャップ５３は、４つの液体容器１０の液体注入部３５の外端３６の開口３６Ａのそれぞれを密閉する。
【００５３】
図５に示すように、プリンター１では、液体注入用容器５８によって、インク１７を液体容器１０に注入（補充）する。液体注入用容器５８には、インク１７を排出可能なノズル部５９が設けられている。ノズル部５９は、管状の構造を有している。液体注入用容器５８内のインク１７は、ノズル部５９を介して液体注入用容器５８の外に排出される。
作業者は、液体注入部３５からキャップ５３を取り外した状態で、液体注入用容器５８のノズル部５９を液体注入部３５の外端３６の開口３６Ａに挿入し、液体注入用容器５８内に収容されたインク１７を液体容器１０に注入（補充）する。
【００５４】
「液体容器の概要」
図６は、視認壁を高い側から見た場合の液体容器の分解斜視図である。図７は、視認壁に対向する壁を低い側から見た場合の液体容器の分解斜視図である。また、図７は、図６と反対方向から見た場合の液体容器１０の分解斜視図でもある。図８は、図６に対応する図であり、液体注入用容器から液体収容室にインクを注入する状態を示す模式図である。
【００５５】
図６及び図７に示すように、液体容器１０は、第１部材１１と、第２部材１２と、第３部材１３と、第４部材１４とを備えている。
第１部材１１は、液体容器１０の本体をなし、例えば熱可塑性樹脂を成型することによって形成された部材である。第１部材１１のＺ（＋）方向側の上壁には、大気導入部９２と、大気導入部９２を囲む筒壁９１とが設けられている（図６参照）。
【００５６】
第２部材１２は、例えば樹脂フィルムであり、第１部材１１のＹ（−）方向側の壁に、例えば溶着によって接合されている（図６参照）。
【００５７】
第３部材１３及び第４部材１４は、第１部材１１のＹ（＋）方向側の壁に、例えば溶着によって接合されている（図７参照）。第３部材１３は、第１部材１１と第４部材１４との間に配置され、大気導入部９２に連通された第１部材１１の凹部７１を密封する。第３部材１３は、液体の浸透性が低く通気性が高い材料で構成された樹脂フィルムであり、防水性と通気性とを有する。第４部材１４は、例えば樹脂フィルムである。
【００５８】
第１部材１１のＹ（＋）方向側の壁には、大気導入部９２に連通された凹部７１と、凹部７１を囲むように配置された凹部７２と、凹部７２のＺ（−）方向側に配置された凹部７３とが設けられている（図７参照）。
第１部材１１のＹ（−）方向側の壁には、第１部材１１のＺ（−）方向側の壁から第１部材１１のＺ（＋）方向側の壁に向かって（Ｚ（＋）方向に沿って）、凹部７４及び凹部７５と、凹部７６と、凹部７７と、凹部７８と、凹部７９とが設けられている（図６参照）。
【００５９】
第１部材１１の凹部７１は、第３部材１３で密封され、空間７１Ａが形成される。第１部材１１の凹部７２，７３は、第４部材１４で密封され、空間７２Ａ，７３Ａが形成される（図７参照）。
第１部材の凹部７４，７５，７６，７７，７８，７９は、第２部材１２で密封され、空間７４Ａ，７５Ａ，７６Ａ，７７Ａ，７８Ａ，７９Ａが形成される（図６参照）。
【００６０】
空間７１Ａ、空間７２Ａ、空間７３Ａ、空間７４Ａ、空間７５Ａ、空間７６Ａ、空間７７Ａ、空間７８Ａ、及び空間７９Ａは、それぞれ連通され、一本の長い大気の流路を形成する。空間７１Ａ、空間７２Ａ、空間７３Ａ、空間７４Ａ、空間７５Ａ、空間７６Ａ、空間７７Ａ、空間７８Ａ、及び空間７９Ａによって形成される大気の流路は、「大気室」の一例であり、以降、大気室８０と称す。
【００６１】
なお、空間７１Ａ、空間７２Ａ、空間７３Ａ、空間７４Ａ、空間７５Ａ、空間７６Ａ、空間７７Ａ、空間７８Ａ、及び空間７９Ａは、この順で連通してもよいし、例えば、空間７１Ａ、空間７９Ａ、空間７２Ａ、空間７８Ａ、空間７３Ａ、空間７７Ａ、空間７６Ａ、空間７４Ａ、及び空間７５Ａの順に連通してもよい。すなわち、空間７１Ａ、空間７２Ａ、空間７３Ａ、空間７４Ａ、空間７５Ａ、空間７６Ａ、空間７７Ａ、空間７８Ａ、及び空間７９Ａを連通する順番は、任意である。
【００６２】
大気室８０の一方は大気導入部９２に連通されており、大気室８０の他方は連通孔２１７（図７参照）を介して液体収容室２９に連通されている。すなわち、大気は、大気導入部９２と、大気室８０と、連通孔２１７とを経由して液体収容室２９に導入される。
なお、大気室８０と液体収容室２９とを連通する連通孔２１７は、液体注入部３５と比べて第５の壁６７の近くに設けられている。
【００６３】
大気室８０は、液体収容室２９に収容されたインク１７の蒸発を抑制し、液体収容室２９からのインク１７の漏れを抑制する役割を有する。従って、大気室８０における大気の流路の長さは、長い方が好ましい。このため、大気室８０における大気の流路の長さが長くなるように、空間７１Ａ、空間７２Ａ、空間７３Ａ、空間７４Ａ、空間７５Ａ、空間７６Ａ、空間７７Ａ、空間７８Ａ、及び空間７９Ａを連通することが好ましい。また、大気室８０に設けられた第３部材１３は、液体収容室２９に収容されたインク１７が大気導入部９２から漏れることを防止する。
【００６４】
液体容器１０のＺ（−）方向側には、液体収容室２９が設けられている。また、液体容器１０のＺ（＋）方向側には、上述した大気室８０が設けられている。すなわち、液体容器１０は、液体収容室２９の上方に大気室８０を備えている。
大気室８０は、液体注入部３５（液体収容室２９）の上方に位置する壁８１を有している。壁８１は、第１部材１１のＸ（＋）方向側の壁の一部を構成し、Ｘ（−）方向に窪んだ凹部８２を有している。なお、凹部８２は、本願における「凹部」の一例である。
第１部材１１のＸ（−）方向側の壁には、インク供給チューブ４３を保持するチューブ保持部８５が設けられている（図６参照）。第１部材１１のＺ（−）方向側の壁（第５の壁６７）には、インク供給部８７が設けられている（図７参照）。インク供給部８７は、インク供給チューブ４３によって印刷部４２に連通されている。
【００６５】
図８に示すように、液体収容室２９にインク１７を注入するための液体注入用容器５８からインク１７が液体注入部３５に注入されるとき、上述した凹部８２は、液体注入用容器５８の側壁５７と離間するように設けられている。
インク１７を液体注入用容器５８から液体注入部３５に注入する際、液体注入用容器５８は大気室８０の壁８１に接触しないので、液体注入用容器５８の姿勢が安定し、インク１７を安定して液体収容室２９に注入することができる。例えば、液体注入用容器５８の姿勢が安定せず、インク１７を液体収容室２９に安定して注入することが難しくなり、インク１７が液体注入部３５から外側に漏れるという不具合を防止することができる。
【００６６】
図６及び図７では、液体収容室２９が太い実線または太い破線で図示されている。さらに、図６及び図７では、液体収容室２９を構成する壁６１，６２，６３，６４，６５，６７及び底壁６０の形状や位置を分かりやすくするために、壁６１，６２，６３，６４，６５，６７及び底壁６０の輪郭を構成する辺が交わった部分（頂点）に、符号Ａ，Ｂ，Ｃ，Ｄ，Ｅ，Ｇ，Ｈ，Ｋが付されている。以降、壁６１，６２，６３，６４，６５，６７及び底壁６０の頂点を、点Ａ，Ｂ，Ｃ，Ｄ，Ｅ，Ｇ，Ｈ，Ｋと称す。
次に、図６及び図７を参照し、液体収容室２９の概要を説明する。
【００６７】
液体収容室２９は、第１の壁６１と、第２の壁６２と、第３の壁６３と、第４の壁６４と、補強壁６５と、第５の壁６７と、底壁６０とを有している（図６参照）。
第１の壁６１は、液体収容室２９を画定し、液体収容室２９のＺ（＋）方向側に配置されている。第２の壁６２は、液体収容室２９のＸ（＋）方向側に配置されている。第３の壁６３は、液体収容室２９のＹ（＋）方向側に配置されている。第４の壁６４は、液体収容室２９のＹ（−）方向側に配置されている。第５の壁６７は、液体収容室２９のＸ（−）方向側に配置されている。底壁６０は、液体収容室２９のＺ（−）方向側に配置されている。
使用姿勢では、底壁６０が、液体収容室２９の底面（最も低い面）になる。
【００６８】
第１の壁６１と、第２の壁６２と、第３の壁６３と、第５の壁６７と、底壁６０とは、第１部材１１の一部を構成し、第１部材１１の構成要素である。第４の壁６４は、図中で第２部材１２の破線のハッチングが施された部分であり、第２部材１２の構成要素である。また、第１の壁６１と、第２の壁６２と、第３の壁６３と、第４の壁６４と、第５の壁６７と、底壁６０とで囲まれた空間に、インク１７が収容される。
【００６９】
詳しくは、点Ｅ１と点Ｇ１と点Ｈ１と点Ｋ１とで囲まれた部分が、第１の壁６１である。第１の壁６１は、壁８１に対して外側（Ｘ（＋）方向側）に配置される第１の傾斜部６１Ａと、壁８１に対して内側（Ｘ（−）方向側）に配置される平坦部６１Ｂとを備えている。第１の傾斜部６１Ａは、点Ｅ１と点Ｆ１と点J１と点Ｋ１とで囲まれた部分であり、第２の壁６２側に配置される。平坦部６１Ｂは、点Ｆ１と点Ｇ１と点Ｈ１と点Ｊ１とで囲まれた部分であり、第５の壁６７側に配置される。
なお、本実施形態において、第１の壁６１は、上述した第１の傾斜部６１Ａを備えているが、必ずしも、傾斜した形状でなくてもよく、（Ｚ軸方向において、高低差がない）全体が平坦な形状でもよい。また、本実施形態において、第１の壁６１は、第１の傾斜部６１Ａと平坦部６１Ｂを備えているが、平坦部６１Ｂを備えずに、第１の壁６１の全体が、Ｚ軸方向において高低差を形成する傾斜部のみの形状であってもよい。
【００７０】
第１の傾斜部６１Ａの点Ｅ１，Ｋ１は、第１の傾斜部６１Ａの点Ｆ１，Ｊ１よりも低く、第１の傾斜部６１Ａは、第２の壁６２側が低くなっている。すなわち、第１の傾斜部６１Ａは、第２の壁６２側が低くなるように傾斜している。さらに、第１の傾斜部６１Ａには、Ｚ（＋）方向に突出する液体注入部３５が設けられている。液体注入部３５は、第１の傾斜部６１Ａの第２の壁６２側に設けられている。
このように、液体収容室２９は第１の壁６１と交差する方向に延びる第２の壁６２を有し、第１の壁６１は第２の壁６２側が低くなるように傾斜する第１の傾斜部６１Ａを有し、液体注入部３５は第１の壁６１の第２の壁６２側（第１の傾斜部６１Ａ）に設けられている。
【００７１】
さらに、第１の傾斜部６１Ａには、液体注入部３５を囲む液漏れ防止壁３４が設けられている。すなわち、第１の壁６１（第１の傾斜部６１Ａ）において、液体注入部３５から離間した位置に突出し、液体注入部３５からインク１７の漏れを防止する液漏れ防止壁３４が設けられている。
例えば、作業者が液体注入用容器５８からインク１７を適正に液体注入部３５に注入せず、インク１７が液体注入部３５から外側に漏れた場合、当該漏れたインク１７は、液漏れ防止壁３４によってせき止められるので、当該漏れたインク１７が液漏れ防止壁３４の外側に流出することを防止することができる。
なお、液漏れ防止壁３４は、液体注入部３５の外側に設けられていればよい。さらに、液漏れ防止壁３４は、液体注入部３５と比べて、第１の壁６１からの高さが低い、若しくは第１の壁６１からの高さが同等、若しくは第１の壁６１からの高さが高くてもよい。さらに、液漏れ防止壁３４の形状は、四角状であるが、例えばドーナツ状であったり、他の形状でもよい。
【００７２】
点Ａ１と点Ｅ１と点Ｋ１と点Ｄ１とで囲まれた部分が第２の壁６２である。第２の壁６２は、第１の壁６１と第３の壁６３と第４の壁６４と底壁６０とに交差する方向に延びている。第２の壁６２は、外部から液体収容室２９内の液面が視認可能な視認壁４６であり、光透過性を有する部材で構成されている。
すなわち、第２の壁６２は、液体収容室２９に注入可能なインク１７の量の上限の目安を示す上限マーク４８が設けられ、外部から液体収容室２９内の液面１７Ａが視認可能な視認壁４６を構成する。
【００７３】
点Ｄ１と点Ｃ１と点Ｈ１と点Ｋ１とで囲まれた部分が、第３の壁６３である。第３の壁６３は、第１の壁６１と第２の壁６２と第５の壁６７と底壁６０とに交差する方向に延びている（図６参照）。また、第１部材１１の破線の斜線でハッチングされた部分が、第３の壁６３である（図７参照）。
【００７４】
点Ａ１と点Ｂ１と点Ｇ１と点Ｅ１とで囲まれた部分、すなわち第２部材１２の破線のハッチングが施された部分が、第４の壁６４である。第４の壁６４は、第３の壁６３と対向し、第１の壁６１と第２の壁６２と底壁６０とに交差する方向に延びている（図６参照）。
【００７５】
点Ｂ１と点Ｇ１と点Ｈ１と点Ｃ１とで囲まれた部分が、第５の壁６７である。また、第５の壁６７は、第２の壁６２と対向し、第１の壁６１と第３の壁６３と第４の壁６４と底壁６０と交差する方向に延びている（図６参照）。第５の壁６７は、第４の壁６４と交差する部分のＺ（−）方向側に、開口６７Ａを有している。
【００７６】
使用姿勢において、開口６７Ａは、液体収容室２９の最も低い位置に設けられている。開口６７Ａは、インク供給部８７に連通されている。すなわち、液体収容室２９に収容されているインク１７は、開口６７Ａと、インク供給部８７と、インク供給チューブ４３とを経由して印刷部４２に供給される。
【００７７】
点Ｌ１と点Ｍ１と点Ｎ１と点Ｏ１とで囲まれた部分が補強壁６５である。補強壁６５は、第２の壁６２と対向し、第２の壁６２と第５の壁６７との間に配置される。補強壁６５は、第２の壁６２と第５の壁６７と底壁６０とに接さず、第２の壁６２と第５の壁６７と底壁６０との間に隙間を有している。補強壁６５の一方の端部は第３の壁６３に接し、補強壁６５の他方の端部は第４の壁６４に接する。
【００７８】
第１部材１１において、補強壁６５は、第３の壁６３を基点としてＹ（−）に延びる壁であり、第２の壁６２と第５の壁６７と底壁６０との間に隙間を有している。第２部材１２を第１部材１１に接合した場合、補強壁６５の他方の端部は、第４の壁６４（第２部材１２）に接するように配置され、第４の壁６４（第２部材１２）を支持する。
なお、補強壁６５が省略された構成であってもよい。
【００７９】
点Ａ１と点Ｂ１と点Ｃ１と点Ｄ１とで囲まれた部分が底壁６０である。底壁６０は、第１の壁６１に対向し、第２の壁６２と第３の壁６３と第４の壁６４と第５の壁６７とに交差する方向に延びている（図６参照）。
底壁６０では、点Ａ１と点Ｃ１と点Ｄ１が、点Ｂ１よりも高くなっている。
【００８０】
点Ａ１と点Ｄ１とは第２の壁６２の側に配置され、点Ｂ１は第５の壁６７側に配置されるので、底壁６０は、第２の壁６２側で高くなっている。このため、底壁６０は、第２の壁６２側が高くなり、第５の壁６７の側が低くなるように傾斜する。すなわち、底壁６０は、第２の壁６２側が高くなるように傾斜する第２の傾斜部を有する。
換言すれば、液体収容室２９は、第１の壁６１と交差する方向に延びる第２の壁６２と、第２の壁６２と交差する方向に延び、且つ、第１の壁６１と対向する底壁６０とを有し、底壁６０は第２の壁６２側が高くなるように傾斜する第２の傾斜部を有する。
【００８１】
点Ｃ１と点Ｄ１とは第３の壁６３側に配置され、点Ｂ１は第４の壁６４側に配置されるので、底壁６０は、第３の壁６３側で高くなり、第４の壁６４の側で低くなる。すなわち、底壁６０は、第４の壁６４側が低くなるように第３の壁６３から第４の壁６４の方向に傾斜する第３の傾斜部を有している。
換言すれば、液体収容室２９は、第１の壁６１と第２の壁６２と底壁６０とに交差する方向に延びる第３の壁６３と、第３の壁６３と対向する第４の壁６４と、を有し、底壁６０は、第４の壁６４側が低くなるように第３の壁６３から第４の壁６４の方向に傾斜する第３の傾斜部を有する。
【００８２】
開口６７Ａは、インク供給部８７にインク１７を供給する液体収容室２９におけるインク１７の出口であり、液体収容室２９の最も低い位置に設けられている。このため、底壁６０は、開口６７Ａに近付くと低くなり、開口６７Ａから遠ざかると高くなるように傾斜している。
インク１７の出口である開口６７Ａを液体収容室２９における最も低い位置に配置すると、液体収容室２９内のインク１７は開口６７Ａから排出されやすくなり、例えば、インク１７が液体収容室２９内に残留するという無駄を防止することができる。
【００８３】
図９は、使用姿勢で第１の壁６１を水平面（ＸＹ平面）に投影したときの、第１の壁の概略平面図である。図１０は、使用姿勢で、第４の壁から第３の壁に向かう方向に見た場合の液体容器の概略図である。図１１は、使用姿勢で、第７の壁から第２の壁に向かう方向に見た場合の液体容器の概略図である。図１２は、図１０に示す状態から時計回りの方向に転倒した場合の液体容器の概略図である。図１３は、図１１に示す状態から反時計回りの方向に転倒した場合の液体容器の概略図である。
なお、図１０及び図１２では底壁６０及び壁６１，６２，６７が図示され、他の壁６３，６４，６５の図示が省略されている。図１１及び図１３では、底壁６０及び壁６１，６３，６４が図示され、他の壁６２，６５，６７の図示が省略されている。また、図１０乃至図１３は、上限マーク４８の近くまで液体収容室２９の中にインク１７が注入された状態が図示されている。
【００８４】
以降の説明では、図１２に示す状態で転倒した場合の液体容器１０の姿勢を第１の転倒姿勢と称す。すなわち、第１の転倒姿勢は、第５の壁６７が底面（最も低い面）となった場合の液体収容室２９の姿勢である。さらに、図１３に示す状態で転倒した場合の液体容器１０の姿勢を第２の転倒姿勢と称す。すなわち、第２の転倒姿勢は、第４の壁６４が底面（最も低い面）となった場合の液体収容室２９の姿勢である。
【００８５】
図９に示すように、第１の壁６１を使用姿勢で水平面（ＸＹ平面）に投影したとき、詳しくは、第１の壁６１は、第１辺１０１と、第１辺１０１と交差する第２辺１０２と、第１辺１０１に対向する第３辺１０３と、第２辺１０２に対向する第４辺１０４とを有する四辺形６１Ｃをなす。すなわち、第１の壁６１は、第１辺１０１と、第１辺１０１と交差する第２辺１０２とを有する四辺形６１Ｃをなす。
なお、第１辺１０１は、第１の壁６１と第２の壁６２とが交差する辺である。第２辺１０２は第１の壁６１と第３の壁６３とが交差する辺である。第３辺１０３は第１の壁６１と第５の壁６７とが交差する辺である。第４辺１０４は第１の壁６１と第４の壁６４とが交差する辺である。
【００８６】
四辺形６１Ｃは、第１辺１０１の中心を通る第１の中心線１０１Ａと第２辺１０２の中心を通る第２の中心線１０２Ａによって４つの領域に区画される。なお、第１の中心線１０１Ａ及び第２の中心線１０２Ａは、図中で一点鎖線で示されている。
すなわち、四辺形６１Ｃは、第１の中心線１０１Ａと第２の中心線１０２Ａとによって区画された、第１の領域１１１と、第２の領域１１２と、第３の領域１１３と、第４の領域１１４とを有する。
なお、第１の領域１１１は、第１の中心線１０１Ａと第２の中心線１０２Ａと第２の壁６２と第３の壁６３とで囲まれた領域である。第１の領域１１１は、第１の壁６１において第２の壁６２及び第３の壁６３に近い側に配置される。
第２の領域１１２は、第１の中心線１０１Ａと第２の中心線１０２Ａと第４の壁６４と第５の壁６７とで囲まれた領域である。第２の領域１１２は、第１の壁６１において第４の壁６４及び第５の壁６７に近い側に配置される。
第３の領域１１３は、第１の中心線１０１Ａと第２の中心線１０２Ａと第２の壁６２と第４の壁６４とで囲まれた領域である。第３の領域１１３は、第１の壁６１において第２の壁６２及び第４の壁６４に近い側に配置される。
第４の領域１１４は、第１の中心線１０１Ａと第２の中心線１０２Ａと第３の壁６３と第５の壁６７とで囲まれた領域である。第４の領域１１４は、第１の壁６１において第３の壁６３及び第５の壁６７に近い側に配置される。
【００８７】
液体注入部３５は、内端３８が、４つの領域１１１，１１２，１１３，１１４のいずれかに配置されるように設けられている。本実施形態では、液体注入部３５は、内端３８が、４つの領域１１１，１１２，１１３，１１４のうち第１の領域１１１に配置されるように設けられている。すなわち、液体注入部３５は、第１の壁６１において第４の壁６４より第３の壁６３に近い側に設けられ、第１の壁６１において第５の壁６７より第２の壁６２に近い側に設けられている。
【００８８】
図１０及び図１１に示すように、使用姿勢では、底壁６０が最も低い位置に配置され、第１の壁６１及び液体注入部３５の開口３６Ａが高い位置に配置されるので、液体収容室２９内のインク１７は液体注入部３５の開口３６Ａから漏れにくい。
【００８９】
図１０に示すように、第１の壁６１は、第２の壁６２側が低くなるように傾斜する第１の傾斜部６１Ａを有しているので、第２の壁６２に近付くと低くなり、第５の壁６７に近付くと高くなる。第１の壁６１と対向する底壁６０は、第２の壁６２側が高くなるように傾斜する第２の傾斜部を有しているので、第２の壁６２に近付くと高くなり、第５の壁６７に近付くと低くなる。このため、底壁６０と第１の壁６１との間の距離Ｓ１は、第２の壁６２から第５の壁６７に向か方向に長くなる。従って、液体収容室２９は、第２の壁６２から第５の壁６７に向かう方向に広くなる。
【００９０】
図１１に示すように、底壁６０は、第４の壁６４側が低くなるように第３の壁６３から第４の壁６４の方向に傾斜する第３の傾斜部を有するので、第３の壁６３に近付くと高くなり、第４の壁６４に近付くと低くなる。このため、底壁６０と第１の壁６１との間の距離Ｓ２は、第３の壁６３から第４の壁６４に向か方向に長くなる。従って、液体収容室２９は、第３の壁６３から第４の壁６４に向かう方向に広くなる。
【００９１】
液体容器１０にインク１７を注入する作業の不具合や、プリンター１を移動する場合の不具合などによって、液体容器１０が転倒した場合、仮に、液体注入部３５が四辺形６１Ｃの中心（第１の中心線１０１Ａと第２の中心線１０２Ａとが交差した部分）に配置され、上限マーク４８の近くまで液体収容室２９の中にインク１７が注入されていると、インク１７の液面１７Ａは液体注入部３５の開口３６Ａよりも高くなり、液体注入部３５の開口３６Ａからインク１７が漏れる。
【００９２】
図１２に示すように、第１の転倒姿勢では、第５の壁６７が底面（最も低い面）となり、第２の壁６２が上面（最も高い面）となる。液体注入部３５は、第２の壁６２に近い側に設けられているので、第２の壁６２と同様に高い位置に配置される。
【００９３】
さらに、液体収容室２９は、第２の壁６２から第５の壁６７に向かう方向に広くなっているので、第５の壁６７から第２の壁６２に向かう方向に広くなる場合と比べて、インク１７の液面１７Ａが低く抑えられる。
従って、液体注入部３５の開口３６Ａは高い位置に配置され、インク１７の液面１７Ａは低い位置に抑えられるので、インク１７は液体注入部３５の開口３６Ａから漏れにくくなる。
【００９４】
図１３に示すように、第２の転倒姿勢では、第４の壁６４が底面（最も低い面）となり、第３の壁６３が上面（最も高い面）となる。液体注入部３５は、第３の壁６３に近い側に配置されるので、第３の壁６３と同様に高い位置に配置される。
【００９５】
さらに、液体収容室２９は、第３の壁６３から第４の壁６４に向かう方向に広くなっているので、第４の壁６４から第３の壁６３に向かう方向に広くなる場合と比べて、インク１７の液面１７Ａが低く抑えられる。
従って、液体注入部３５の開口３６Ａは高い位置に配置され、インク１７の液面１７Ａは低い位置に抑えられるので、インク１７は液体注入部３５の開口３６Ａから漏れにくくなる。
【００９６】
さらに、図示を省略するが、大気室８０と液体収容室２９とを連通する連通孔２１７は液体注入部３５と比べて第５の壁６７の近くに設けられているので、第５の壁６７が液体収容室２９の底面となるように、液体収容室２９が転倒した場合、液体収容室２９のインク１７は連通孔２１７を介して大気室８０に移動し、インク１７が液体注入部３５の開口３６Ａから漏れる危険性を低減できる。
【００９７】
上述したように、液体注入部３５が四辺形６１Ｃの中心に配置されると、第１の転倒姿勢及び第２の転倒姿勢の両方で、インク１７は液体注入部３５の開口３６Ａから漏れやすくなる。本実施形態では、液体注入部３５を四辺形６１Ｃの第１の領域１１１に設けることによって、第１の転倒姿勢及び第２の転倒姿勢の両方で、インク１７は液体注入部３５の開口３６Ａから漏れにくくなる。
【００９８】
図１４は、図９に対応する図であり、液体注入部の好ましい配置位置を示す概略図である。図１４では、本実施形態における液体注入部３５の配置位置が実線で示され、他の好ましい液体注入部３５Ａ，３５Ｂ，３５Ｃの配置位置が破線で示されている。
【００９９】
図１４に示すように、第１の領域１１１に配置される本実施形態の液体注入部３５は、第４の壁６４及び第５の壁６７から離れて配置されるので、第５の壁６７を底面とする第１の転倒姿勢及び第４の壁６４を底面とする第２の転倒姿勢において、液体注入部３５が高い位置に配置されることになるので、液体注入部３５からインク１７が漏れにくくなる。
【０１００】
図中で破線で示された液体注入部３５Ａが、第２の領域１１２に配置される場合、液体注入部３５Ａは、第２の壁６２及び第３の壁６３から離れて配置されるので、第２の壁６２を底面とする転倒姿勢（第３の転倒姿勢と称す）及び第３の壁６３を底面とする転倒姿勢（第４の転倒姿勢と称す）において、液体注入部３５が高い位置に配置されることになるので、液体注入部３５からインク１７が漏れにくくなる。
【０１０１】
図中で破線で示された液体注入部３５Ｂが、第３の領域１１３に配置される場合、液体注入部３５Ｂは、第３の壁６３及び第５の壁６７から離れて配置されるので、第３の壁６３を底面とする第４の転倒姿勢及び第５の壁６７を底面とする第１の転倒姿勢において、液体注入部３５が高い位置に配置されることになるので、液体注入部３５からインク１７が漏れにくくなる。
【０１０２】
図中で破線で示された液体注入部３５Ｃが、第４の領域１１４に配置される場合、液体注入部３５Ｃは、第２の壁６２及び第４の壁６４から離れて配置されるので、第２の壁６２を底面とする第３の転倒姿勢及び第４の壁６４を底面とする第２の転倒姿勢において、液体注入部３５が高い位置に配置されることになるので、液体注入部３５からインク１７が漏れにくくなる。
【０１０３】
このように、液体注入部３５を、四辺形６１Ｃの第１の領域１１１〜第４の領域１１４のいずれかに配置すると、第１の転倒姿勢〜第４の転倒姿勢のいずれかでインク１７が漏れにくくなる。
従って、液体注入部３５は、内端３８が、４つの領域（第１の領域１１１〜第４の領域１１４）のいずれかに配置されるように設けられていることが好ましい。
【０１０４】
このように、印刷ユニット３は、液体噴射ヘッド４０と、液体噴射ヘッド４０に供給するインク１７を収容可能な液体容器１０とを有している。
さらに、液体容器１０は、インク１７を収容可能な液体収容室２９と、液体収容室２９にインク１７を注入可能な液体注入部３５と、を備え、液体注入部３５は、液体収容室２９を画定する第１の壁６１に形成され、且つ、外部に開放された外端３６と、液体収容室２９内に開放された内端３８とを有し、使用姿勢において第１の壁６１を水平面に投影したとき、第１の壁６１は第１辺１０１と第１辺１０１と交差する第２辺１０２とを有する四辺形６１Ｃをなし、四辺形６１Ｃは第１辺１０１の中心を通る第１の中心線１０１Ａと第２辺１０２の中心を通る第２の中心線１０２Ａによって４つの領域１１１，１１２，１１３，１１４に区画され、液体注入部３５は、内端３８が、４つの領域１１１，１１２，１１３，１１４のいずれか（本実施形態では第１の領域１１１）に配置されるように設けられている。
さらに、第１の壁６１において、液体注入部３５から離間した位置に突出し、液体注入部３５を囲む液漏れ防止壁３４を備えている。
【０１０５】
かかる構成によって、印刷ユニット３では、液体容器１０にインク１７を注入する作業の不具合や、プリンター１を移動する場合の不具合などによって、液体容器１０が転倒した場合、液体注入部３５からインク１７が漏れにくい。さらに、仮に液体注入部３５からインク１７が漏れた場合であっても、当該漏れたインク１７は液漏れ防止壁３４によってせき止められるので、インク１７が液漏れ防止壁３４の外側に流出することが防止される。
従って、インク１７が液体注入部３５から外側に漏れ、インク１７が無駄になるというロスや、液体注入部３５から外側に漏れたインク１７の悪影響（例えば、汚れに起因する故障）などを抑制し、インク１７の無駄を抑制しつつ、安定して稼働する印刷ユニット３を実現することができる。
【０１０６】
（実施形態２）
図１５は、図６に対応する図であり、実施形態２に係るプリンターの液体容器の分解斜視図である。図１６は、図９に対応する図であり、使用姿勢で第１の壁及び第６の壁を水平面（ＸＹ平面）に投影したときの、第１の壁及び第６の壁の状態を示す概略図である。図１７は、図１０に対応する図であり、使用姿勢で、第４の壁から第３の壁に向かう方向に見た場合の液体容器の概略図である。図１８は、図１１に対応する図であり、使用姿勢で、第７の壁から第２の壁に向かう方向に見た場合の液体容器の概略図である。図１９は、図１７に示す状態から反時計回りの方向に転倒した場合の液体容器の概略図である。図２０は、図１８に示す状態から時計回りの方向に転倒した場合の液体容器の概略図である。
また、図１７乃至図２０は、上限マーク４８の近くまで液体収容室２９の中にインク１７が注入された状態が図示されている。
【０１０７】
図１９に示す状態で転倒した場合の液体容器１０Ａの姿勢を第５の転倒姿勢と称し、図２０に示す状態で転倒した場合の液体容器１０Ａの姿勢を第６の転倒姿勢と称す。すなわち、第５の転倒姿勢は、第２の壁６２が底面（最も低い面）となった場合の液体収容室２９Ａの姿勢であり、第６の転倒姿勢は、第３の壁６３が底面（最も低い面）となった場合の液体収容室２９Ａの姿勢である。
【０１０８】
以下、図１５乃至図２０を参照し、本実施形態に係る液体容器１０Ａの液体収容室２９Ａを、実施形態１との相違点を中心に説明する。また、実施形態１と同一の構成部位については、同一の符号を附し、重複する説明を省略する。
【０１０９】
図１５に示すように、本実施形態に係る液体容器１０Ａの液体収容室２９Ａは、第２の壁６２と対向する補強壁６５と、第１の壁６１と底壁６０との間の位置で第２の壁６２と第５の壁６７とを接続する第６の壁６６とを有している。すなわち、液体収容室２９Ａには、新たに第６の壁６６が設けられており、この点が実施形態１の液体収容室２９との相違点である。また、他の構成は、本実施形態と実施形態１とで同じである。
【０１１０】
第６の壁６６は、第２の壁６２と、第３の壁６３と、第５の壁６７と、第４の壁６４とに接するよう形成されている。このため、液体収容室２９Ａの内部空間３０は、第６の壁６６によって、二つの内部空間３０Ａ，３０Ｂに区画される。第１内部空間３０Ａは、第６の壁６６と第２の壁６２と第３の壁６３と第４の壁６４と第１の壁６１とで囲まれた内部空間３０であり、第２内部空間３０Ｂに対してＺ（＋）方向側（第１の壁６１側）に配置される。第２内部空間３０Ｂは、第６の壁６６と第２の壁６２と第３の壁６３と第４の壁６４と底壁６０とで囲まれた内部空間３０であり、第１内部空間３０Ａに対してＺ（−）方向側（底壁６０側）に配置される。
なお、第１内部空間３０Ａは、「液体収容室の第６の壁より第１の壁側の内部空間」の一例である。第２内部空間３０Ｂは、「第６の壁より底壁側の内部空間」の一例である。
【０１１１】
補強壁６５は、第２部材１２を支持し、第１部材１１に対する第２部材１２の接合強度を高める。さらに、補強壁６５は、第６の壁６６を支持し、第６の壁６６の強度を高める。
なお、補強壁６５が省略された構成であってもよい。
【０１１２】
第６の壁６６には、第１内部空間３０Ａと第２内部空間３０Ｂとを連通する開口６６Ａが設けられている。開口６６Ａは、第４の壁６４と第５の壁６７とが交差したコーナー部に設けられている。
なお、開口６６Ａは、第２の領域１１２に形成する場合、第４の壁６４と第５の壁６７とが交差したいわゆるコーナー部ではなく、例えば、開口６６Ａの一辺として、第４の壁６４と第５の壁６７が含まれない、第２の領域１１２の中央部などでもよい。
【０１１３】
図１６に示すように、第１の壁６１及び第６の壁６６を水平面（ＸＹ平面）に投影したとき、第１の壁６１及び第６の壁６６は四辺形６１Ｃをなし、四辺形６１Ｃは、第１辺１０１の中心を通る第１の中心線１０１Ａと第２辺１０２の中心を通る第２の中心線１０２Ａとによって４つの領域（第１の領域１１１、第２の領域１１２、第３の領域１１３、第４の領域１１４）に区画される。
【０１１４】
第１の壁６１には、液体注入部３５の内端３８が第１の領域１１１に設けられている。
第６の壁６６には、第１内部空間３０Ａと第２内部空間３０Ｂとを連通させる開口６６Ａが設けられている。開口６６Ａは、使用姿勢において第６の壁６６を水平面（ＸＹ平面）に投影したとき、液体注入部３５の内端３８が形成されている第１の領域１１１と対角をなす第２の領域１１２に設けられている。すなわち、開口６６Ａは、液体注入部３５の内端３８と最も離間するように設けられている。
ここで、開口６６Ａの位置を換言すれば、開口６６Ａは、１０１Ａと１０２Ａが交差する中心点Ｑを中心として、（液体注入部３５が形成されている）第１の領域１１１に対して点対称の位置関係にある、第２の領域１１２に形成されている。
【０１１５】
図１７及び図１８に示すように、本実施形態では、作業者が上限マーク４８をインク１７の量の上限として液体収容室２９Ａの中にインク１７を注入した場合、インク１７は液体収容室２９Ａの第２内部空間３０Ｂの中に収容される。すなわち、作業者がインク１７の量の上限として液体収容室２９Ａの中にインク１７を注入した場合、液体収容室２９Ａの第２内部空間３０Ｂの中にインク１７が収容されるように、第６の壁６６が設けられている。
第２内部空間３０Ｂの中に収容されたインク１７は、第６の壁６６によって蓋をされた状態になり、インク１７が第２内部空間３０Ｂから第１内部空間３０Ａに移動しにくくなる。例えば、インク１７の液面１７Ａが搖動した場合に、インク１７は、液体注入部３５側に移動しにくくなるので、第６の壁６６が設けられていない場合と比べて、第１内部空間３０Ａに連通された液体注入部３５から漏れにくくなる。
【０１１６】
図１９に示すように、第５の転倒姿勢では、第２の壁６２が底面（最も低い面）となるので、第２の壁６２の近くに設けられた液体注入部３５は低い位置に配置される。開口６６Ａは、液体注入部３５の内端３８と最も離間するように設けられているので、第５の転倒姿勢では、開口６６Ａは高い位置に配置される。
すなわち、第５の転倒姿勢では、液体注入部３５は低い位置に配置され、開口６６Ａは高い位置に配置される。
【０１１７】
第５の転倒姿勢では、開口６６Ａが高い位置に配置されるので、第２内部空間３０Ｂの中に収容されたインク１７は第１内部空間３０Ａに移動しにくくなり、第１内部空間３０Ａに連通する液体注入部３５からインク１７が漏れにくくなる。
【０１１８】
図２０に示すように、第６の転倒姿勢では、第３の壁６３が底面（最も低い面）となるので、第３の壁６３の近くに設けられた液体注入部３５は低い位置に配置される。開口６６Ａは、液体注入部３５の内端３８と最も離間するように設けられているので、第６の転倒姿勢では、開口６６Ａは高い位置に配置される。
すなわち、第６の転倒姿勢では、液体注入部３５は低い位置に配置され、開口６６Ａは高い位置に配置される。
【０１１９】
第６の転倒姿勢では、開口６６Ａが高い位置に配置されるので、第２内部空間３０Ｂの中に収容されたインク１７は第１内部空間３０Ａに移動しにくくなり、第１内部空間３０Ａに連通する液体注入部３５からインク１７が漏れにくくなる。
【０１２０】
図１９、図２０に示すように、第６の壁６６は、Ｘ軸、Ｙ軸に平行であるが、必ずしもその必要性はない。例えば、図１９において、第６の壁６６が図面左側に傾斜していてもよい。
【０１２１】
本実施形態に係る液体容器１０Ａでは、液体注入部３５が第１の領域１１１に設けられているので、第１の転倒姿勢及び第２の転倒姿勢の両方で液体注入部３５からインク１７が漏れにくいという実施形態１と同じ効果を奏することができる。
加えて、本実施形態に係る液体容器１０Ａでは、液体注入部３５が低い位置に配置される第５の転倒姿勢及び第６の転倒姿勢の両方で、液体注入部３５からインク１７が漏れにくいという新たな効果を奏することができる。
【０１２２】
なお、開口６６Ａについは、第１の領域１１１〜第４の領域１１４のいずれに備えられてもよい。但し、開口６６Ａの液体注入部３５との位置関係においては、以下に示す構成が好ましい。液体注入部３５を第２の領域１１２に配置する場合、開口６６Ａは第２の領域１１２と対角をなす第１の領域１１１に配置することが好ましい。液体注入部３５を第３の領域１１３に配置する場合、開口６６Ａは第３の領域１１３と対角をなす第４の領域１１４に配置することが好ましい。液体注入部３５を第４の領域１１４に配置する場合、開口６６Ａは第４の領域１１４と対角をなす第３の領域１１３に配置することが好ましい。
【０１２３】
本発明は、上記実施形態に限られるものではなく、請求の範囲及び明細書全体から読み取れる発明の要旨あるいは思想に反しない範囲で適宜変更可能であり、上記実施形態以外にも様々な変形例が考えられる。以下、変形例を挙げて説明する。
【０１２４】
（変形例１）
図２１は、図６に対応する図であり、視認壁を高い側から見た場合の変形例１に係る液体容器の分解斜視図である。図２２は、図７に対応する図であり、視認壁に対向する壁を低い側から見た場合の本変形例に係る液体容器の分解斜視図である。
変形例１に係る液体容器１０Ｂは、液体収容室２９Ｂの形状が、実施形態１に係る液体容器１０と異なる。他の構成は、変形例１と実施形態１とで同じである。
以下、図２１及び図２２を参照し、実施形態１との相違点を中心に説明する。また、実施形態１と同一の構成部位については、同一の符号を附し、重複する説明を省略する。
【０１２５】
図２１及び図２２に示すように、液体収容室２９Ｂは、第１の壁６１と、第２の壁６２Ｂと、第３の壁６３と、第４の壁６４Ｂと、補強壁６５と、第５の壁６７と、底壁６０Ｂとを備えている。
第１の壁６１と、第３の壁６３と、補強壁６５と、第５の壁６７とは、実施形態１と同じであるので、説明を省略する。
【０１２６】
点Ａ２と点Ｅ１と点Ｋ１と点Ｄ１とで囲まれた部分が、第２の壁６２Ｂである。点Ａ２と点Ｂ１と点Ｇ１と点Ｅ１とで囲まれた部分、すなわち破線のハッチングが施された部分が、第４の壁６４Ｂである。点Ａ２と点Ｂ１と点Ｃ１と点Ｄ１とで囲まれた部分が、底壁６０Ｂである。
【０１２７】
第２の壁６２Ｂ及び第４の壁６４Ｂ及び底壁６０Ｂの頂点をなす点Ａ２は、実施形態１に係る第２の壁６２及び第４の壁６４及び底壁６０の頂点をなす点Ａ１（図６参照）に対応する。本変形例における点Ａ２は、実施形態１における点Ａ１よりも低い位置に配置される。この点が、本変形例と実施形態１との相違点の一つである。
【０１２８】
本変形例では、点Ａ２は、点Ｃ１及び点Ｄ１よりも低く、点Ｂ１と同じ高さに配置される。すなわち、点Ａ２及び点Ｂ１、並びに点Ｃ１及び点Ｄ１はそれぞれ同じ高さに配置され、点Ａ２及び点Ｂ１は点Ｃ１及び点Ｄ１よりも低い。
【０１２９】
底壁６０Ｂでは、第２の壁６２側に配置される点Ｄ１は、第４の壁６４側及び第５の壁６７側に配置される点Ｂ１よりも高くなっている。このため、底壁６０Ｂは、第２の壁６２側が高くなるように傾斜する第２の傾斜部を有する。
なお、本願における「底壁は第２の壁側が高くなるように傾斜する傾斜部を有する」とは、底壁６０Ｂの点Ａ２及び点Ｄ１を結ぶ辺の少なくとも一部がＺ（＋）方向に高くなり、当該高くなった部分から傾斜する傾斜部を底壁６０が有する状態に該当する。
【０１３０】
底壁６０Ｂでは、第３の壁６３の側に配置される点Ｃ１及び点Ｄ１は、第４の壁６４側に配置される点Ａ２及び点Ｂ１よりも高くなっている。このため、底壁６０Ｂは、第４の壁６４側が低くなるように第３の壁６３から第４の壁６４の方向に傾斜する第３の傾斜部を有する。
なお、本願における「第４の壁側が低くなるように第３の壁から第４の壁の方向に傾斜する傾斜部を有する」とは、底壁６０Ｂにおける点Ａ２及び点Ｂ１を結ぶ辺の少なくとも一部がＺ（−）方向に低くなるように、第３の壁６３から第４の壁６４の方向に傾斜する傾斜部を有する状態に該当する。
【０１３１】
本変形例では、液体注入部３５が第１の領域１１１に設けられているので、第１の転倒姿勢及び第２の転倒姿勢の両方で液体注入部３５からインク１７が漏れにくいという実施形態１と同じ効果を奏することができる。
【０１３２】
さらに、本変形例の液体収容室２９Ｂの頂点である点Ａ２の位置が、実施形態１の液体収容室２９の頂点である点Ａ１よりも低い位置に配置されるので、本変形例の液体収容室２９Ｂの体積は実施形態１の液体収容室２９の体積よりも大きくなる。その結果、本変形例の液体収容室２９Ｂは、実施形態１の液体収容室２９よりも、多くのインク１７を収容することができる。
【０１３３】
（変形例２）
図２３は、図６に対応する図であり、視認壁を高い側から見た場合の変形例２に係る液体容器の分解斜視図である。
変形例２に係る液体容器１０Ｃの液体収容室２９Ｃは、変形例１に係る液体容器１０Ｂの液体収容室２９Ｂと異なり、他の構成は変形例２と変形例１とで同じである。
以下、図２３を参照し、変形例１との相違点を中心に説明する。また、実施形態１と同一の構成部位については、同一の符号を附し、重複する説明を省略する。
【０１３４】
図２３に示すように、液体収容室２９Ｃは、第１の壁６１と、第２の壁６２Ｃと、第３の壁６３Ｃと、第４の壁６４Ｂと、補強壁６５と、第５の壁６７Ｃと、底壁６０Ｃとを備えている。
第１の壁６１と、第４の壁６４Ｂと、補強壁６５とは、変形例１と同じ形状であるので、説明を省略する。
【０１３５】
点Ａ２と点Ｅ１と点Ｋ１と点Ｄ２とで囲まれた部分が、第２の壁６２Ｃである。点Ｄ２と点Ｃ２と点Ｈ１と点Ｋ１とで囲まれた部分が、第３の壁６３Ｃである。点Ｂ１と点Ｇ１と点Ｈ１と点Ｃ２とで囲まれた部分が、第５の壁６７Ｃである。点Ａ２と点Ｂ１と点Ｃ２と点Ｄ２とで囲まれた部分が底壁６０Ｃである。
【０１３６】
第２の壁６２Ｃ及び第３の壁６３Ｃ及び底壁６０Ｃにおける点Ｄ２は、変形例１における第２の壁６２Ｂ及び第３の壁６３及び底壁６０Ｂにおける点Ｄ１（図２１参照）に対応する。本変形例における点Ｄ２は、変形例１における点Ｄ１よりも低い位置に配置される。この点が、本変形例と変形例１との相違点の一つである。
【０１３７】
第３の壁６３Ｃ及び第５の壁６７Ｃ及び底壁６０Ｃにおける点Ｃ２は、変形例１における第３の壁６３及び第５の壁６７及び底壁６０Ｂにおける点Ｃ１（図２１参照）に対応する。本変形例における点Ｃ２は、変形例１における点Ｃ１よりも低い位置に配置される。この点も、本変形例と変形例１との相違点の一つである。
【０１３８】
点Ｃ２及び点Ｄ２は、点Ａ２及び点Ｂ１と同じ高さに配置されている。すなわち、点Ａ２及び点Ｂ１及び点Ｃ２及び点Ｄ２は、同じ高さに配置される。このため、点Ａ２及び点Ｂ１及び点Ｃ２及び点Ｄ２とで囲まれた底壁６０Ｃは傾斜部を有さず、ＸＹ面（水平面）に沿って配置される。その結果、底壁６０Ｃは、変形例１に係る底壁６０Ｂよりも低い位置に配置される。このため、本変形例に係る液体収容室２９Ｃは、変形例１に係る液体収容室２９Ｂと比べて体積が大きくなり、さらに多くのインク１７を収容することができる。
【０１３９】
（変形例３）
上述した実施形態では、複数の液体容器１０が互いに別体で構成され、液体噴射ヘッド４０に供給するインクを収容可能な液体容器は、インク１７を収容可能な１つの液体収容室２９と、液体収容室２９にインク１７を注入可能な１つの液体注入部３５とを備えていた。
液体容器の構成としては、複数の液体容器１０を一体にして１つの液体容器とする構成であってもよい。すなわち、液体噴射ヘッド４０に供給するインクを収容可能な液体容器は、インクを収容可能な液体収容室と、液体収容室にインクを注入可能な液体注入部とを有する構成であってもよい。この場合、１つの液体容器に複数の液体収容室が設けられ、複数の液体収容室は、互いに個別に仕切られ、異なる種類の液体を収容可能に構成される。
【０１４０】
（変形例４）
上記実施形態において、本願における液体噴射装置（例えば、実施形態１における印刷ユニット３）は、インク１７以外の他の液体を噴射したり吐出したり塗布したりして消費する液体噴射装置であってもよい。なお、液体噴射装置から微小量の液滴となって吐出される液体の状態としては、粒状、涙状、糸状に尾を引くものも含むものとする。また、ここでいう液体は、液体噴射装置で消費させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては、上記各実施形態で説明したようなインク１７の他、液晶等も挙げられる。
【０１４１】
ここで、インク１７とは一般的な水性インク及び油性インク並びにジェルインク、ホットメルトインク等の各種液体組成物を包含するものとする。更に、インク１７として、昇華転写インクを用いることができる。昇華転写インクは、例えば昇華性染料のような昇華性の色材を含むインクである。印刷方法は、そのような昇華転写インクを液体噴射装置により転写媒体に噴射し、その転写媒体を被印刷物に接触させ加熱して色材を昇華させて被印刷物に転写させる。被印刷物はＴシャツやスマートフォン等である。このように、昇華性の色材を含むインクであれば、多様な被印刷物（印刷媒体）に印刷を行うことができる。
【０１４２】
液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置であってもよい。また、基板などをエッチングするために酸又はアルカリ等のエッチング液を噴射する液体噴射装置であってもよい。
【符号の説明】
【０１４３】
１…プリンター、３…印刷ユニット、４…タンクユニット、５…スキャナーユニット、１７…インク、３４…液漏れ防止壁、３５…液体注入部、３６…外端、３７…筒部、３８…内端、３８Ａ…開口、４０…液体噴射ヘッド、４６…視認壁、６０…底壁、６１…第１の壁、６１Ｃ…四辺形、６２…第２の壁、６３…第３の壁、６４…第４の壁、６５…第５の壁、６６…第６の壁、６７…第７の壁、１０１…第１辺、１０２…第２辺、１０３…第３辺、１０４…第４辺、１０１Ａ…第１辺の中心線、１０２Ａ…第２辺の中心線、１１１…第１の領域、１１２…第２の領域、１１３…第３の領域、１１４…第４の領域。
【図１】
2018001525.tif 000003
【図２】
2018001525.tif 000004
【図３】
2018001525.tif 000005
【図４】
2018001525.tif 000006
【図５】
2018001525.tif 000007
【図６】
2018001525.tif 000008
【図７】
2018001525.tif 000009
【図８】
2018001525.tif 000010
【図９】
2018001525.tif 000011
【図１０】
2018001525.tif 000012
【図１１】
2018001525.tif 000013
【図１２】
2018001525.tif 000014
【図１３】
2018001525.tif 000015
【図１４】
2018001525.tif 000016
【図１５】
2018001525.tif 000017
【図１６】
2018001525.tif 000018
【図１７】
2018001525.tif 000019
【図１８】
2018001525.tif 000020
【図１９】
2018001525.tif 000021
【図２０】
2018001525.tif 000022
【図２１】
2018001525.tif 000023
【図２２】
2018001525.tif 000024
【図２３】
2018001525.tif 000025